(57)【要約】      （修正有）【課題】固形培地を用いる植物の栽培方法として、植物の生育に好適な潅水量により潅水を行うことができる方法を提供する。【解決手段】根域を制限する固形培地を用いる植物の栽培方法であって、（ａ）日射量当りの潅水量を設定する工程、（ｂ）前記固形培地の土壌水分量の上限値及び下限値を設定する工程、（ｃ）培地の土壌水分量を測定し、該土壌水分量と前記設定された上限値及び下限値とを比較し、前記潅水量を調節する工程、ならびに（ｄ）予め設定された日射量に日射が達したときに、工程（ｃ）により調節された日射量当りの潅水量の水を前記固形培地に与える工程、を含む前記栽培方法。【選択図】図１
2016116484.tif 000002
【特許請求の範囲】
【請求項１】
根域を制限する固形培地を用いる植物の栽培方法であって、
（ａ）日射量当りの潅水量を設定する工程、
（ｂ）前記固形培地の土壌水分量の上限値及び下限値を設定する工程、
（ｃ）培地の土壌水分量を測定し、該土壌水分量と前記設定された上限値及び下限値とを比較し、
（i）土壌水分量が前記設定された上限値を越えている場合には前記日射量当りの潅水量を減らすこと、
（ii）土壌水分量が前記設定された下限値を下回っている場合には前記日射量当りの潅水量を増やすこと、及び
（iii）土壌水分量が前記設定された下限値以上であり前記設定された上限値以下である場合には前記日射量当りの潅水量を増減しないこと
により、前記潅水量を調節する工程、ならびに
（ｄ）予め設定された日射量に日射が達したときに、工程（ｃ）により調節された日射量当りの潅水量の水を前記固形培地に与える工程、
を含む前記栽培方法。
【請求項２】
水分ストレスをかけずに栽培できるように、下限値を高めに設定することをさらに含む請求項１に記載の方法。
【請求項３】
水分ストレスをかけて栽培できるように、下限値を低めに設定することをさらに含む請求項１又は２に記載の方法。
【請求項４】
培地が浄水場発生土及びやし殻を含む、請求項１〜３のいずれかに記載の方法。
【請求項５】
浄水場発生土とやし殻の重量比が１：０．８〜１．２である請求項４に記載の方法。
【請求項６】
（ｂ）前記固形培地の土壌水分量の上限値及び下限値を設定する工程の前にｐＦ値の上限値及び下限値を設定し、培地の土壌のｐＦ値と土壌水分量との相関から前記設定されたｐＦ値の上限値及び下限値を土壌水分量の上限値及び下限値に換算する工程をさらに含む、請求項１〜５のいずれかに記載方法。
【請求項７】
土壌水分センサー及び日射センサーを具備する給液制御機により、土壌水分量及び日射量を測定し、該測定値により潅水量を制御する、請求項１〜６のいずれかに記載方法。
【請求項８】
土壌水分センサー及び日射センサーを具備し、該土壌水分センサー及び日射センサーのそれぞれにより土壌水分量及び日射量を測定し、該測定値により潅水量を制御する、植物の栽培に用いられる給液制御機。
【発明の詳細な説明】
【技術分野】
【０００１】
本発明は固形培地を用いた新規な植物の栽培方法に関する。
【０００２】
袋培地のような固形培地を用いる植物の栽培方法はすでに知られている。この栽培方法のメリットとして、廃液を回収する設備を付けずに低コストで設置ができることが挙げられる一方、培地からの余剰な廃液を少なくするための灌水制御が必要となるといったデメリットがある。
例えば特許文献１及び２には、袋培地を用いた養液栽培における自動潅水制御技術として、テンシオメーターにより測定した水分ポテンシャル（ｐＦ値）を指標とした潅水制御による方法が記載されている。
また、特許文献３には、日射量と植物の吸水量との相関関係を利用した潅水制御について報告されている。
【先行技術文献】
【特許文献】
【０００３】
【特許文献１】特開２００６−１９７８７１号公報
【特許文献２】特開２００３−０９２９２４号公報
【特許文献３】特開２００４−００８０６７号公報
【発明の概要】
【発明が解決しようとする課題】
【０００４】
固形培地で植物を生育させるためには、植物の吸水量と培地中の水分量（潅水量の影響を受ける）が重要な因子である。植物の生育の段階が進み葉面積が増えることで蒸散量が増えて吸水量が増えるため、都度潅水量を増やす必要がある。また、植物の摘葉や摘心などの管理作業で葉面積が減ることで蒸散量が減り吸水量が減るため、都度潅水量を減らす必要がある。潅水量が不足すると培地が乾燥状態となってしまう一方、必要以上の量による潅水がなされると培地が過湿状態になる。このような培地の乾燥状態及び過湿状態は、共に植物の生育に悪影響を与える。
例えば特許文献３に記載の方法においては、植物の生育段階の進行に応じて潅水量を増やす必要があることが示されるに留まるばかりでなく、培地外への廃液を極力少なくする栽培方法であるため、以下のような問題点もある：
・植物の吸水量が潅水量を上回ると廃液がなくなり、培地内の水分状態の把握が難しくなる。
・場合によっては極端な水分ストレスを引き起こすリスクがある。
・逆に日射量当たりの潅水量を増やしすぎると培地内が過湿となり、植物の生育に支障が来たされる。
・栽培管理者が給液管理するために植物の状態や培地内水分の状態を把握するために手間がかかる。
なお、特許文献１及び２に開示されているテンシオメーターには、土壌の物理性やセンサーとなる素焼き表面と土壌との接触程度に起因する測定値のバラツキが生じやすいという問題があるため、ｐＦ値を唯一の潅水制御の指標として利用することは望ましくない。
【０００５】
また、潅水量を植物の生育に応じて、機械的あるいは人為的に増加させることは作業として不可能ではない。しかしながら、最適な潅水量は植物の生育の段階のみならず、温度・湿度、日長、季節や天候といった環境要因、あるいは栽培が行われる場所・地域によっても変動するため、最適な潅水量を細かく設定し、当該量に対応する量の潅水を確実に行うことは、実質的に不可能である。
さらに、植物の外観が必要な潅水量を反映しない場合もある。例えば植物が萎れている場合、潅水が不足している場合もあれば、反対に潅水量が多すぎる場合もあり、一概に判断はできない。
このように培地の乾燥状態及び過湿状態が植物の生育に悪影響を与えることは知られているが、制御するために考慮するべき要因の数が多いことや判断の困難さのため、植物の生育に好適な潅水量を設定することは、これまで実現されていなかった。
【０００６】
本発明は、固形培地を用いる植物の栽培方法として、植物の生育に好適な潅水量により潅水を行うことができる方法を提供することを目的とする。
【課題を解決するための手段】
【０００７】
上記課題に鑑み本発明者らは、植物の吸水量に対する影響が大きい指標を考慮することにより潅水量の制御を確実に行うことができる方法を鋭意探索したところ、ある指標により植物の吸水量を把握できる可能性があることを見出し、さらに研究を進めた結果本発明を完成するに至った。
すなわち本発明は、少なくとも以下の発明に関する：
[１] 根域を制限する固形培地を用いる植物の栽培方法であって、
（ａ）日射量当りの潅水量を設定する工程、
（ｂ）前記固形培地の土壌水分量の上限値及び下限値を設定する工程、
（ｃ）培地の土壌水分量を測定し、該土壌水分量と前記設定された上限値及び下限値とを比較し、
（i）土壌水分量が前記設定された上限値を越えている場合には前記日射量当りの潅水量を減らすこと、
（ii）土壌水分量が前記設定された下限値を下回っている場合には前記日射量当りの潅水量を増やすこと、及び
（iii）土壌水分量が前記設定された下限値以上であり前記設定された上限値以下である場合には前記日射量当りの潅水量を増減しないことにより、前記潅水量を調節する工程、ならびに
（ｄ）予め設定された日射量に日射が達したときに、工程（ｃ）により調節された日射量当りの潅水量の水を前記固形培地に与える工程、
を含む前記栽培方法。
[２] 水分ストレスをかけずに栽培できるように、下限値を高めに設定することをさらに含む前記[１]に記載の方法。
[３]水分ストレスをかけて栽培できるように、下限値を低めに設定することをさらに含む前記[１]又は前記[２]に記載の方法。
[４]培地が浄水場発生土及びやし殻を含む、前記[１]〜[３]のいずれかに記載の方法。
[５]浄水場発生土とやし殻の重量比が１：０．８〜１．２である前記[４]に記載の方法。
[６]（ｂ）前記固形培地の土壌水分量の上限値及び下限値を設定する工程の前にｐＦ値の上限値及び下限値を設定し、培地の土壌のｐＦ値と土壌水分量との相関から前記設定されたｐＦ値の上限値及び下限値を土壌水分量の上限値及び下限値に換算する工程をさらに含む、前記[１]〜[５]のいずれかに記載方法。
[７]  土壌水分センサー及び日射センサーを具備する給液制御機により、土壌水分量及び日射量を測定し、該測定値により潅水量を制御する、前記[１]〜[６]のいずれかに記載方法。
[８]土壌水分センサー及び日射センサーを具備し、該土壌水分センサー及び日射センサーのそれぞれにより土壌水分量及び日射量を測定し、該測定値により潅水量を制御する、植物の栽培に用いられる給液制御機。
【発明の効果】
【０００８】
本発明の方法は、日射量を測定し、日射に合わせた自動潅水を行うことと土壌水分量の測定を組み合わせたシステムにより、植物の吸水量の変動を視認する指標としての土壌水分量を目安に、日射量当りの潅水量を制御することに基礎を置くものである。日射量と植物の吸水量には高い相関関係があるため、日射量を指標とする日射比例式潅水制御を主な制御とすることで植物の生育に好適な潅水を行う。そして、植物体の生育段階の進行および管理作業などにより変動する植物の吸水量について、土壌水分量を測定することで視認し、日射量当りの潅水量を制御することにより、より好適な植物の生育条件を実現することが可能であることを本発明者らは見出したのである。
なお日射比例式潅水制御とは、日射量に比例して潅水量を増減させる、通常の潅水量を管理する方式である。
本発明の方法は、栽培する植物、作型にかかわらず最適な潅水管理を可能にするといった効果を奏する。
本発明の方法のうち前記下限値を低め又は高めに設定する工程を更に含む方法によれば、高収量又は高品質の植物を得ることができる。
【図面の簡単な説明】
【０００９】
【図１】本発明の方法の一態様を示す図である。
【図２】本発明の方法を実施するための装置の例を示す図である。
【発明を実施するための形態】
【００１０】
本発明は、上記のとおり、
根域を制限する固形培地を用いる植物の栽培方法であって、
（ａ）日射量当りの潅水量を設定する工程、
（ｂ）前記固形培地の土壌水分量の上限値及び下限値を設定する工程、
（ｃ）培地の土壌水分量を測定し、該土壌水分量と前記設定された上限値及び下限値とを比較し、
（i）土壌水分量が前記設定された上限値を越えている場合には前記日射量当りの潅水量を減らすこと、
（ii）土壌水分量が前記設定された下限値を下回っている場合には前記日射量当りの潅水量を増やすこと、及び
（iii）土壌水分量が前記設定された下限値以上であり前記設定された上限値以下である場合には前記日射量当りの潅水量を増減しないこと
により、前記潅水量を調節する工程、ならびに
（ｄ）予め設定された日射量に日射が達したときに、工程（ｃ）により調節された日射量当りの潅水量の水を前記固形培地に与える工程、
を含む前記栽培方法に関する。
【００１１】
本発明における根域を制限する固形培地耕とは、各植物個体が植え付けられている培地が容器等により仕切られ、植物の根域が制限されている固形培地である。かかる固形培地にはポット中の培地や袋培地が典型的である。
【００１２】
工程（ａ）、すなわち日射量当りの潅水量を設定する工程は、日射量を測定し、測定された日射量を基に日射量に合わせた自動潅水を行うために必要な工程である。典型的には、日射量当りの潅水量は０〜１００ｍｌ／ＭＪである。
日射量の測定には日射センサーを用いてよい。日射センサーを用いることにより、より正確な日射量の測定が可能になり、日射量に応じた自動潅水制御も可能になる。
日射量当りの潅水量は、本技術分野における技術常識に鑑み株当りの量で表すことができる。本明細書において日射量当りの潅水量は「ｍｌ／ＭＪ」の単位で表記されるところ、とくに断りがない限り当該潅水量は株当りの量を意味する。
【００１３】
工程（ｂ）、すなわち前記固形培地の土壌水分量の上限値及び下限値を設定する工程における前記上限値及び下限値は、前記設定された日射量当りの潅水量を増減して調節するための、続く工程（ｃ）を行うために必要な値である。
用いられる培地により設定する土壌水分量は異なるため、ｐＦ値との相関により設定値を決定することは好ましい。ｐＦ値の設定には土壌pF測定器のような機材を用いることができる。
植物が正常に生育する土壌水分量は培地の種類により変動する一方、ｐＦについては一般にｐＦ１．８〜３．０程度である。ｐＦについてのかかる範囲を、用いられる培地について換算して土壌水分量の上限値と下限値を決定することができる。
ある培地においてはｐＦ１．８〜３．０は土壌水分量として１２〜４０％に相当する。
【００１４】
土壌水分量の上限値及び下限値は植物の種類や栽培における主たる目的（収量増や品質の改変等）に応じて変えてよいところ、例えばトマトにおいては、上限値としては約１１％〜約２４％であり、下限値としては約８％〜約１７％とし、これらを組み合わせてよい。
上限値と下限値の差、すなわち許容される土壌水分量の範囲も限定されず、約３％〜約７％であってよい。
なお本明細書における「％」の表記は、とくに断りがない限り体積パーセントを表す。
【００１５】
工程（ｃ）、すなわち培地の土壌水分量を測定し、該土壌水分量と前記設定された上限値及び下限値とを比較し、
（i）土壌水分量が前記設定された上限値を越えている場合には前記日射量当りの潅水量を減らすこと、
（ii）土壌水分量が前記設定された下限値を下回っている場合には前記日射量当りの潅水量を増やすこと、及び
（iii）土壌水分量が前記設定された下限値以上であり前記設定された上限値以下である場合には前記日射量当りの潅水量を増減しないこと
により、前記潅水量を調節する工程は、土壌水分量を目安に日射量当りの潅水量を制御するために必要な工程である。
【００１６】
本工程において、潅水量は以下のように制御される：
（１）土壌水分量が下限値以上かつ上限値未満の場合は、日射量が一定値に達したら自動潅水を行う。
（２）土壌水分量が上限値以上の場合、日射量当りの潅水量設定値を減らす（場合により日射量当りの自動潅水を止めてもよい。）。
（３）土壌水分量が下限値未満の場合、日射量当りの潅水量設定値を増やす。
また工程（ｃ）において、下限値を高めあるいは低めに設定することにより、より高い収量あるいはより糖度の高い収穫物の栽培が可能になる。すなわち、下限値を高めに設定することにより（高水分管理）水分ストレスをかけずに栽培でき、収量を高めることができ、一方下限値を低めに設定し（低水分管理）水分ストレスをかけて栽培することにより、収穫物（果実）の糖度が高くなる。このように本発明の方法によれば、収量又は収穫物の質のコントロールも可能である。よってかかる観点により本発明を用いて達成される目的とそのための方策は、下記表１のようにまとめることができる：
【表１】
2016116484.tif 000003
【００１７】
上記したある培地においてはｐＦ１．８〜３．０は土壌水分量として１２〜４０％に相当するところ、この場合の低水分管理及び高水分管理における土壌水分量は、それぞれ７〜１２％及び１２〜４０％となる。高水分管理においてさらに土壌水分量を１２〜２３％とすることは、肥料や水のロスを低減できるため好ましい。
【００１８】
高水分管理及び低水分管理における土壌水分量は植物の種類により変えてよいところ、例えばある培地を用いたトマトの栽培においては、下限値をそれぞれ約１５％及び約１０％とし、許容される土壌水分量の範囲は約１５〜約２０％及び約１０〜約１５％とすることは好ましい。また粉場合の土壌水分量とｐＦ値との関係として、土壌水分量１５〜２０％はｐＦ２．５〜２．８程度に、１０〜１５％はｐＦ２．８〜３．２程度に、それぞれ相当する。
【００１９】
また潅水量の増減の割合（量）は限定されず、土壌水分量をモニタリングしながら決定すればよい。
定植時に固形培地から廃液が出るまで手動で潅水した場合、定植直後からの一定期間においては日射量当たりの潅水を行わなくてもよく（すなわち潅水量は０ｍｌ／ＭＪ）、この場合、定植時において培地が保持できない量の水を与えられるため、通常土壌水分量は４０％以上であり、ｐＦ１．８以下になる。
植物の生育ステージに応じて日射量当たりの潅水量を増やしていくことは好ましい。日射量当たりの潅水量を増やす割合（量）は、典型的には一回当り約５〜約４０ｍｌ／ＭＪである。例えば、土壌水分量の測定値に基づき、移植後約１〜３週間後に潅水量を約８〜約１６ｍｌ／ＭＪ増やし、その後は適宜日射量当たりの潅水量を増やしていく。
日射量当たりの潅水量の増加量は、測定された土壌水分量に応じて適切な増加量を判断して変動させてよく、例えば約５〜約１０ｍｌ／ＭＪ刻み、約１２〜約１６ｍｌ／ＭＪ刻み又は約３３ｍｌ／ＭＪ刻みで増やしてよい。
日射比例式給液制御機を用いる場合、日射量当たりの潅水量は手動で変更して当該潅水量を設定してよい。
【００２０】
土壌水分量の測定には、誘電率型土壌水分センサーのような機材を用いることは好ましい。このような機材により、培地の辺縁部周辺だけでなく、より深奥部の土壌水分量を測定することは好ましい。
【００２１】
工程（ｄ）、すなわち予め設定された日射量に日射が達したときに、工程（ｃ）により調節された日射量当りの潅水量の水を前記固形培地に与える工程は、所定の潅水量の水を実際に潅水する工程である。かかる潅水には、自動潅水装置が好適に用いられる。
本発明の方法においては、工程（ｄ）が一作の間に２回以上行われ、同工程は自動管理により、あらかじめ規定されたスケジュールに従って行われる。
潅水を開始する日及び間隔は適宜決定してよく、例えば開始は植物を定植してから１週間後、間隔は日射量が１ＭＪ増加する毎にである。
また、日射量当りの潅水量の調節を開始する日及び間隔は適宜決定してよく、当該調節を開始する日は、例えば植物を定植してから１週間後であり、間隔は１週間毎である。
【００２２】
本発明の方法を適用し得る植物の種類は限定されず、トマト、ナス、キュウリ、イチゴ、メロンといった果菜類、コマツナ、ホウレンソウ、キャベツ、レタスといった葉菜類、ダイコン、ニンジン、ジャガイモ、サツマイモといった根菜類、ミカン、ブドウ、イチジク、ブルーベリーといった果樹が挙げられる。
本発明の方法を適用し得る培地の種類も限定されず、浄水場発生土とやし殻を含むものロックウール、パーライト、砂、れきなどが挙げられる。本発明の方法における培地として浄水場発生土とやし殻を含むものは好ましく、浄水場発生土とやし殻からなる本発明の方法における培地はより好ましい。また、浄水場発生土とやし殻の重量比が１：０．８〜１．２であるものは一層好ましく、同重量比が１：１であるものは一層より好ましい。
【００２３】
本発明の方法は、例えば土壌水分センサー１及び日射センサー３を用いて好適に実施される。該土壌水分センサー１及び日射センサー３のそれぞれにより土壌水分量及び日射量を測定し、該測定値により潅水量を制御する（図１）。
日射センサー３は日射比例式給液制御機２に接続され、日射センサー３により測定される日射量の測定値に応じて、給液配管５に設けられた電磁弁４の開閉を行い、植物体７が植えつけられた培地に給液すなわち潅水を行う。土壌水分センサー１は土壌水分記録計２’に接続され、土壌水分量をモニタリングしながら、日射量あたりの潅水量を変更するために用いられる（図１）。給液の割合（速度）は限定されないところ、例えば２Ｌ／ｈである。ドリッパー６を給液配管５に設け、給液の割合（速度）を調節してよい。
本発明により、土壌水分センサー１及び日射センサー３を具備し、該土壌水分センサー１及び日射センサー３のそれぞれにより土壌水分量及び日射量を測定し、該測定値により潅水量を制御する、植物の栽培に用いられる給液制御機８も提供される（図２）。
【００２４】
本発明について、実施例を参照しながらさらに説明する。本発明は、いかなる意味においても当該実施例に限定されるものではない。
【００２５】
（実施例１）
［目的］
本発明の栽培方法の効果を検証する。
【００２６】
［材料と方法］
使用する培地のｐＦ値と土壌水分との相関を多容量土壌ｐＦ測定器（大起理化工業製）および土壌水分センサーを用いて求めた後、土壌水分センサーを設置した培地にて、土壌水分を測定しながらトマトを栽培した。栽培試験区は表２のとおりであった。
【表２】
2016116484.tif 000004
【００２７】
試験の概要は以下のとおりであった。
１．試験期間
２０１３年７月３０日〜１２月２４日
播種日：７月３０日  定植日：９月１０日  終了日：１２月２４日
２．試験場所
茨城県つくば市のハウス内
３．供試資材
・大玉トマト「桃太郎ヨーク」（タキイ種苗製）
・２０Ｌ袋培地（スミリン農産工業製）
・土壌水分センサー５ＴＥ（デカゴン製）
・データロガーＥｍ５０（デカゴン製）
・日射比例式給液制御機（メーコー精機製）
・液肥混入機（三秀工業製）
・大塚ハウスＡ処方液肥（大塚アグリテクノ製）
４．トマト栽培方法
・「桃太郎ヨーク」を３．５寸ポットにて育苗した。
・２０Ｌ袋培地に４株ずつ定植し、各試験区１１袋で反復栽培を行った。
・株間が３０ｃｍとなるように、左右振り分け誘引した。条間は１．８ｍであった。
・１０ａ当たりの植え付け本数は約２，６００株であった。
・３段摘心栽培を行い、１段当たり５果となるように摘果した。
・袋培地に土壌水分センサーを埋め込み、データロガーで土壌水分データを集積した。
・潅水は日射比例式給液制御機により、日射量に応じて設定された潅水量をベースとして、土壌水分量をモニタリングしながら潅水量を適宜変更して行った。
より具体的には、日射量当たりの潅水量は、（A）約８ｍｌ／ＭＪ刻みで８，１６，２４，３３ｍｌ／ＭＪ、（Ｂ）約１６ｍｌ／ＭＪ刻みで５０，６６ｍｌ／ＭＪ、又は（Ｃ）約３３ｍｌ／ＭＪ刻みで１００，１３３ｍｌ／ＭＪ〜と、測定された土壌水分量に応じて適切な増加量を判断し、日射比例式給液制御機における設定を手動で変更して潅水量を調節した。
なお、定植直後からの一定期間（１週間）においては日射量当たりの潅水を行わず（すなわち潅水量は０ｍｌ／ＭＪ）、定植時に固形培地から廃液が出るまで手動で潅水した（表３中の９月１０日に対応）。この時点において、培地が保持できない量の水を与えたため、土壌水分量は４０％以上であり、ｐＦ１．８以下になっている。
その後、定植約１週間後に日射量当たりの潅水量を８ｍｌ／ＭＪにした（表３中の９月１７日に対応。）
さらに９月２４日に土壌水分量を測定した結果、低水分試験区は７〜１２％に収まっていたので潅水量を変えなかった。高水分試験区については、土壌水分量は設定された下限値である１６％を下回っていたため、潅水量を増やした。
その後も同様な操作により、土壌水分量を適切に管理するために適宜潅水量を変更した。
・施肥は液肥混入機を用い、大塚ハウスＡ処方１／２単位となるように液肥を希釈し施した。
・トマトの生育による土壌水分量の変動に伴い、土壌水分設定値の範囲内に収まるように、日射量当たりの潅水量を０〜１００ｍｌ／ＭＪの範囲で増減させて調節した。潅水量の増減の目安は、本技術分野における通常の方式に準じて行った。
なお土壌水分量の測定は定植２週間後に開始し、３日〜約１ヶ月おきに行った。
【００２８】
［結果］
１．潅水量の調節・推移
各試験区における潅水量の推移を表３に示した。９月２４日以降、低水分試験区においては高水分試験区と比較して、日射量当たりの潅水量は少ない量に調節された（表３）。
【表３】
2016116484.tif 000005
【００２９】
２．土壌水分量の推移
土壌水分量が各試験区に設定した値の範囲を下回った場合は潅水量を増やした。
１０月２９日以降の土壌水分量の値は、各試験区共に設定した値の範囲で推移した（表４）。
【表４】
2016116484.tif 000006
【００３０】
３．植物体の生育
・低水分試験区においては、水分ストレスがかかることにより、茎径が細く葉長が短くなった（表５）。
【表５】
2016116484.tif 000007
【００３１】
４．果実品質と収量
・低水分試験区においてはトマトの糖度がより高く、高糖度トマトを生産できることが確認された（表６）。
・高水分試験においては、収量がより高く、かつ糖度約６％の食味も良好なトマトを生産できることが確認された。
【表６】
2016116484.tif 000008
【００３２】
[考察]
以上の結果から、本発明の栽培方法によれば、従来のような高度で煩雑な潅水管理を行うことなく高糖度トマトを生産できることが確認された。また本発明によれば、十分な糖度のトマトをより高い収量で生産できることも明らかになった。
したがって、本発明の方法は、作物の質・量の容易かつ確実なコントロールを可能ならしめる顕著な効果を奏するものである。すなわち本発明の方法は、高糖度トマトを生産するための、一部の篤農家の経験と勘に基づくこまめな潅水管理が必要な従来の方法とは著しい対照をなすものである。
【産業上の利用可能性】
【００３３】
本発明によれば、固形培地を用いる植物の栽培方法として、植物の生育に好適な潅水量により潅水を行うことができる栽培方法が提供される。
したがって、本発明は、植物や花卉類の生産業及び関連産業の発展に寄与するところ大である。
【符号の説明】
【００３４】
１：土壌水分センサー
２：日射比例式給液制御機
２’： 土壌水分記録計
３：日射センサー
４：電磁弁
５：給液配管
６：ドリッパー
７：植物体
８：給液制御機
【図１】
2016116484.tif 000009
【図２】
2016116484.tif 000010